【手続補正書】
【提出日】平成21年11月25日(2009.11.25)
【手続補正１】
【補正対象書類名】特許請求の範囲
【補正対象項目名】全文
【補正方法】変更
【補正の内容】
【特許請求の範囲】
【請求項１】
第１の椎骨部材と第２の椎骨部材との間に形成される椎間関節を離間するデバイスであって、
前記第１の椎骨部材の面の上を延びるサイズの取り付けセクションと、
前記取り付けセクションと一体化され、前記取り付けセクションから外向きに延びる第１の中間セクションと、
前記第１の中間セクションと一体化され、前記第１の椎骨部材と前記第２の椎骨部材との間の椎間関節内に嵌合するサイズの２層構造を形成する第２の中間セクションと、
前記第１の中間セクションと前記第２の中間セクションとを連結する折り目と、
を含み、前記椎間関節の動作を可能にする可撓性材料から作製されているデバイス。
【請求項２】
前記折り目が前記取り付けセクションの反対側に配置されている、請求項１に記載のデバイス。
【請求項３】
前記第２の中間セクションの端部が外向きに延び、前記折り目と前記取り付けセクションの間に配置されている、請求項２に記載のデバイス。
【請求項４】
前記第２の中間セクションと一体化され第２の椎骨部材の面の上を延びるサイズである、第２の取り付けセクションをさらに含む、請求項１に記載のデバイス。
【請求項５】
前記取り付けセクションおよび前記第２の取り付けセクションが同一平面内でほぼ位置合わせされている、請求項４に記載のデバイス。
【請求項６】
前記取り付けセクションおよび前記第１の中間セクションの長さが、前記第２の取り付けセクションおよび前記第２の中間セクションと同じである、請求項４に記載のデバイス。
【請求項７】
前記第１の中間部材と前記第２の中間部材の間の相対動作の範囲を制御するように、前記取り付けセクションおよび前記第２の取り付けセクションのセクションにわたって延びるサイズの可撓性の張力部材をさらに含む、請求項４に記載のデバイス。
【請求項８】
前記張力部材が、第１の取り付けセクション開口で前記取り付けセクションに、第２の取り付けセクション開口で前記第２の取り付けセクションに取り付けられている、請求項７に記載のデバイス。
【請求項９】
前記取り付けセクションが、前記取り付けセクションを第１および第２の椎骨部材の一方に取り付ける締結デバイスを受ける開口を含む、請求項１に記載のデバイス。
【請求項１０】
前記第１の中間セクションと前記第２の中間セクションの間に形成される角度が、椎間関節が動作する際に変化する、請求項１に記載のデバイス。
【請求項１１】
第１の椎骨部材と第２の椎骨部材との間に形成される椎間関節を離間するデバイスであって、
前記椎間関節内に嵌合するサイズの２層の中間セクションと、
前記第１および第２の椎骨部材のうちの一方の一部分の上を延びるサイズの取り付けセクションと、
を含み、前記中間セクションおよび前記取り付けセクションが単一の部材から作製され、椎間関節の動作を可能にするように可撓性であるデバイス。
【請求項１２】
前記中間セクションが、第２のセクションの上に折り曲げられた第１のセクションを含む、請求項１１に記載のデバイス。
【請求項１３】
前記第１のセクションの長さが前記第２のセクションより長い、請求項１２に記載のデバイス。
【請求項１４】
折り目が前記取り付けセクションの反対側に配置されている、請求項１２に記載のデバイス。
【請求項１５】
前記中間セクションから延び、前記取り付けセクションから離れるように延びる、第２の取り付けセクションをさらに含む、請求項１１に記載のデバイス。
【請求項１６】
前記取り付けセクションおよび前記第２の取り付けセクションの外面に連結された張力部材をさらに含み、前記取り付けセクションの上に装着されると、前記取り付けセクション間の外向き動作に対して動作を防ぐ力がかかるように、前記張力部材が可撓性材料から作製されている、請求項１５に記載のデバイス。
【請求項１７】
前記中間セクションが、第１の椎骨部材に接触する第１の層および第２の椎骨部材に接触する第２の層を含む、請求項１１に記載のデバイス。
【請求項１８】
第１の椎骨部材と第２の椎骨部材との間に形成される椎間関節を離間するデバイスであって、
第１の面が前記第１の椎骨部材に接触して第２の面が前記第２の椎骨部材に接触した状態で前記椎間関節内に嵌合する幅を有する第１のセクションと、
前記第１のセクションから傾斜して延び、前記第１および第２の椎骨部材のうちの一方の外面の少なくとも一部分の上を延びる第２のセクションと、
を含むデバイス。
【請求項１９】
前記第１のセクションおよび前記第２のセクションが一体の部材であり、椎間関節の動作の際、前記第１のセクションと前記第２のセクションの間の相対動作を可能にするように可撓性材料から作製される、請求項１８に記載のデバイス。
【請求項２０】
第１の椎骨部材と第２の椎骨部材との間に形成される椎間関節を離間するデバイスであって、
第１の中間セクションと、
前記第１の中間セクションの少なくとも一部分の上を延びるように配置された第２の中間セクションと、
を含み、前記中間セクションどうしが、折り曲げられた配置を有し、前記椎間関節の動作を可能にする単一の可撓性材料から作製されているデバイス。
【請求項２１】
前記第１および第２の中間セクションの外面がほぼ平坦である、請求項２０に記載のデバイス。
【請求項２２】
前記第１および第２の中間セクションの長さが等しい、請求項２０に記載のデバイス。
【請求項２３】
前記第１および第２の中間セクションが単一の細長い部材から作製される、請求項２０に記載のデバイス。
【請求項２４】
前記第１および第２の中間セクションの一方の端部から延び、椎骨部材の一方の面の上を延びるように配置されている、取り付けセクションをさらに含む、請求項２０に記載のデバイス。
【請求項２５】
前記第１および第２の中間セクションが、椎間関節内へと挿入する前に、予め負荷された角度で離間している、請求項２０に記載のデバイス。
【請求項２６】
第１の椎骨部材と第２の椎骨部材との間に形成される椎間関節を離間するデバイスであって、
前記第１の椎骨部材に対して配置するための外面と、前記第１の椎骨部材から離れる方を向く内面とを有する第１の中間セクションと、
前記第２の椎骨部材に対して配置するための外面と、前記第２の椎骨部材から離れる方を向く内面とを有する第２の中間セクションと、
を含み、前記中間セクションどうしが、単一の部材から形成されており、前記内面どうしが互いに向かい合って重なった配置を有するデバイス。
【請求項２７】
前記第１および第２の中間セクションのうちの一方の端部から延びる取り付けセクションをさらに含み、前記取り付けセクションが、前記椎骨部材の一方の面の上を延びるように配置されている、請求項２６に記載のデバイス。
【請求項２８】
前記単一の部材が、椎間関節の動作を可能にするように可撓性材料から作製されている、請求項２６に記載のデバイス。
【請求項２９】
第１の椎骨部材と第２の椎骨部材との間に形成される椎間関節を離間するデバイスであって、
前記第１の椎骨部材のセクションの上を延びるサイズの第１の取り付けセクションと、
前記第２の椎骨部材のセクションの上を延びるサイズの第２の取り付けセクションと、
前記第１および第２の取り付けセクションのそれぞれに連結され、前記第１の椎骨部材と前記第２の椎骨部材との間に嵌合するサイズで重なった構造の第１および第２の部材を有する中間セクションと、
前記第１および第２の取り付けセクションに装着されたときに張力がかかるように前記第１および第２の取り付けセクションに取り付けられた可撓性の外側部材と、
を含むデバイス。
【請求項３０】
前記部材が前記中間部材から前記第１および第２の取り付けセクションの反対側に取り付けられた、請求項２９に記載のデバイス。
【請求項３１】
前記第１および第２の取り付けセクションが折り目に沿って互いに連結されている、請求項２９に記載のデバイス。
【請求項３２】
前記第１および第２の取り付けセクションならびに前記中間セクションが単一の要素から作製されている、請求項３１に記載のデバイス。
【請求項３３】
前記第１および第２の取り付けセクションが同一平面内でほぼ位置合わせされている、請求項２９に記載のデバイス。
【請求項３４】
前記外側部材の開口が、前記第１および第２の取り付けセクションの対応する開口と位置合わせされている、請求項２９に記載のデバイス。